(57)【特許請求の範囲】
【請求項１】
パチンコ球が転動可能なものであって、複数の障害釘が打込まれた遊技盤と、
前記遊技盤の前面に設けられた図柄表示装置と、
前記遊技盤の前面に前記図柄表示装置の下方に位置して設けられ、パチンコ球が入球可能な大入賞孔および大入賞孔を開閉する扉を有すると共に当該扉の左右方向の幅寸法が前記図柄表示装置と同等あるいは前記図柄表示装置より大きな大入賞口と、
前記遊技盤の前面に前記大入賞口および前記図柄表示装置相互間に位置して設けられ、前記大入賞口に一体成形された庇部と、
前記庇部の左右方向の中央部に設けられ、パチンコ球が入球可能な始動孔と始動口ソレノイドと始動口ソレノイドのプランジャに連結されたものであって始動口ソレノイドが断電されることに基づいて障害釘と協同して始動孔を閉塞する状態になると共に始動口ソレノイドが通電されることに基づいて始動孔を開放する状態になる２つの可動片を有する電動チューリップ式始動口と、
前記遊技盤の前面に前記電動チューリップ式始動口の始動孔および前記図柄表示装置相互間に位置して設けられ、パチンコ球が入球可能な始動孔を有する受皿状をなす普通始動口と、
前記庇部の上端に前記電動チューリップ式始動口の左方に位置して設けられ、右から左へ向って下降する円弧面と、
前記庇部の上端に前記電動チューリップ式始動口の右方に位置して設けられ、左から右へ向って下降する円弧面を備え、
前記左方の円弧面の左端部は、前記大入賞口の扉の左端部からパチンコ球の直径寸法の１倍程度中央部に偏り、
前記右方の円弧面の右端部は、前記大入賞口の扉の右端部からパチンコ球の直径寸法の１倍程度中央部に偏り、
前記大入賞口の扉は、前記大入賞孔を開放する状態では前記両円弧面のそれぞれから落下するパチンコ球を捕捉して前記大入賞孔に導くように前から後へ向って下降傾斜するものであり、
前記電動チューリップ式始動口の一方の可動片は、前記電動チューリップ式始動口の始動孔を閉塞する状態で前記左方の円弧面に上方から重ならずに前記電動チューリップ式始動口の始動孔を開放する状態で前記左方の円弧面の一部に上方から重なるように前記電動チューリップ式始動口の始動孔の左側に配置され、
前記電動チューリップ式始動口の他方の可動片は、前記電動チューリップ式始動口の始動孔を閉塞する状態で前記右方の円弧面に上方から重ならずに前記電動チューリップ式始動口の始動孔を開放する状態で前記右方の円弧面の一部に上方から重なるように前記電動チューリップ式始動口の始動孔の右側に配置されていることを特徴とするパチンコ機。
【請求項２】
前記大入賞孔の水平方向の幅寸法は、前記扉の水平方向の幅寸法と略同一または前記扉の水平方向の幅寸法に比べて小さく設定されていることを特徴とする請求項１に記載のパチンコ機。
【発明の詳細な説明】
【０００１】
【発明の属する技術分野】
本発明は、図柄表示手段の下方に大入賞口が配置されたパチンコ機に関する。
【０００２】
【発明が解決しようとする課題】
上記パチンコ機には、遊技盤の前面中央部に図柄表示手段を配設し、図柄表示手段の下方に大入賞口を配設した構成のものがある。この構成の場合、図柄表示手段に大当り図柄が表示されると、大入賞口が開放され、パチンコ球が大入賞口内に入球する。このため、特に図柄表示手段が大きい場合には、パチンコ球が図柄表示手段を逃げるようにして遊技盤の左右両側部を落下するので、障害釘の配列を大きく変更して左右両側部のパチンコ球を中央の大入賞口に導き、零れ球の数を少なくする必要があった。
【０００３】
本発明は上記事情に鑑みてなされたものであり、その目的は、障害釘の配列を大きく変更することなく零れ球の数を低減できるパチンコ機を提供することにある。
【０００４】
【課題を解決するための手段】
請求項１記載のパチンコ機は、パチンコ球が転動可能なものであって複数の障害釘が打込まれた遊技盤と、前記遊技盤の前面に設けられた図柄表示装置と、前記遊技盤の前面に前記図柄表示装置の下方に位置して設けられパチンコ球が入球可能な大入賞孔および大入賞孔を開閉する扉を有すると共に当該扉の左右方向の幅寸法が前記図柄表示装置と同等あるいは前記図柄表示装置より大きな大入賞口と、前記遊技盤の前面に前記大入賞口および前記図柄表示装置相互間に位置して設けられ前記大入賞口に一体成形された庇部と、前記庇部の左右方向の中央部に設けられパチンコ球が入球可能な始動孔と始動口ソレノイドと始動口ソレノイドのプランジャに連結されたものであって始動口ソレノイドが断電されることに基づいて障害釘と協同して始動孔を閉塞する状態になると共に始動口ソレノイドが通電されることに基づいて始動孔を開放する状態になる２つの可動片を有する電動チューリップ式始動口と、前記遊技盤の前面に前記電動チューリップ式始動口の始動孔および前記図柄表示装置相互間に位置して設けられパチンコ球が入球可能な始動孔を有する受皿状をなす普通始動口と、前記庇部の上端に前記電動チューリップ式始動口の左方に位置して設けられ右から左へ向って下降する円弧面と、前記庇部の上端に前記電動チューリップ式始動口の右方に位置して設けられ左から右へ向って下降する円弧面を備え、前記左方の円弧面の左端部は前記大入賞口の扉の左端部からパチンコ球の直径寸法の１倍程度中央部に偏り、前記右方の円弧面の右端部は前記大入賞口の扉の右端部からパチンコ球の直径寸法の１倍程度中央部に偏り、前記大入賞口の扉は前記大入賞孔を開放する状態では前記両円弧面のそれぞれから落下するパチンコ球を捕捉して前記大入賞孔に導くように前から後へ向って下降傾斜するものであり、前記電動チューリップ式始動口の一方の可動片は前記電動チューリップ式始動口の始動孔を閉塞する状態で前記左方の円弧面に上方から重ならずに前記電動チューリップ式始動口の始動孔を開放する状態で前記左方の円弧面の一部に上方から重なるように前記電動チューリップ式始動口の始動孔の左側に配置され、前記電動チューリップ式始動口の他方の可動片は前記電動チューリップ式始動口の始動孔を閉塞する状態で前記右方の円弧面に上方から重ならずに前記電動チューリップ式始動口の始動孔を開放する状態で前記右方の円弧面の一部に上方から重なるように前記電動チューリップ式始動口の始動孔の右側に配置されているところに特徴を有している。
上記手段によれば、図柄表示装置の左右両側部を落下するパチンコ球が大入賞口内に入球し易くなるので、障害釘のレイアウトを大幅に変更して大入賞口にパチンコ球を導かなくても、零れ球の数が少なくなる。しかも、庇部の左右側部を落下するパチンコ球が大入賞口内に入球し易くなるので、庇部の影響で零れ球の数が増えることが防止される。
請求項２記載のパチンコ機は、前記大入賞孔の水平方向の幅寸法が前記扉の水平方向の幅寸法と略同一または前記扉の水平方向の幅寸法に比べて小さく設定されているところに特徴を有している。
【０００６】
【発明の実施の形態】
以下、本発明の一実施例を図面に基づいて説明する。まず、図２において、パチンコホールの台島には本体枠１が設置されている。この本体枠１には遊技盤２が組込まれており、遊技盤２の前面には、図１に示すように、複数の障害釘３が打込まれている。
【０００７】
本体枠１には、図２に示すように、窓枠４が左辺部を中心に回動可能に装着されている。この窓枠４にはガラス窓（図示せず）が組込まれており、遊技盤２の前面はガラス窓により覆われている。また、本体枠１の右下部には発射ハンドル５が回動可能に装着されている。この発射ハンドル５の裏側には発射モータ６（図５参照）が装着されており、発射ハンドル５が時計回り方向へ回動操作されると、発射モータ６に電源が与えられる。
【０００８】
本体枠１には上皿７および下皿８が取付けられており、上皿７内にはパチンコ球α（図４参照）が貯溜されている。また、発射モータ６の回転軸にはクランク機構を介して打球槌（いずれも図示せず）が連結されており、発射モータ６が作動すると、打球槌が打球動作を繰返し、上皿７内からパチンコ球αが繰返し打出される。また、遊技盤２の左側部には外レール１０および内レール１１が固定されており、上皿７内から打出されたパチンコ球αは両レール１０および１１間を通して遊技盤２内の上部に案内され、複数の障害釘３に当たりながら落下する。
【０００９】
遊技盤２の後面には合成樹脂製の機構盤（図示せず）が固定されている。この機構盤の後面には、図３に示すように、中央部に位置して合成樹脂製のカバー１２が固定されており、カバー１２の後面にはメイン回路ボックス１３が固定されている。このメイン回路ボックス１３内にはメイン回路基板１４が収納されており、メイン回路基板１４には、図５に示すように、マイクロコンピュータを主体とするメイン制御装置１５が搭載されている。
【００１０】
遊技盤２の前面には、図１に示すように、下端部に位置して弓形状の大入賞口ベース１６が装着されている。このベース１６は合成樹脂製の平板からなるものであり、ベース１６の上部には庇部１７が一体形成されている。この庇部１７は遊技盤２の前面から前方へ突出する弓形状をなすものであり、庇部１７には始動孔１８ａが設けられている。尚、符号Ｗａは庇部１７の水平方向の幅寸法を示している。
【００１１】
庇部１７には可動片１８ｂ，１８ｂが下端部を中心に回動可能に装着されている。これら両可動片１８ｂは始動口ソレノイド１９（図５参照）のプランジャに連結されたものであり、始動口ソレノイド１９の断電状態では、二点鎖線で示すように、両可動片１８ｂが障害釘３と協同して始動孔１８ａを閉塞している。また、始動口ソレノイド１９の通電状態では、実線で示すように、両可動片１８ｂが回動して始動孔１８ａを開放する。尚、符号１８は、始動孔１８ａと両可動片１８ｂとから構成された電動チューリップ式始動口を示している。
【００１２】
遊技盤２の前面にはゲート２０，２０が装着されており、各ゲート２０にはゲートセンサ２１（図５参照）が装着されている。これら各ゲートセンサ２１は、ゲート２０内をパチンコ球αが通過したことを検出して通過信号を出力するものであり、メイン制御装置１５は、各ゲートセンサ２１からの通過信号を所定タイミングで検出すると、始動口ソレノイド１９を駆動制御して両可動片１８ｂを回動させる。そして、始動孔１８ａを設定時間だけ開放し、始動孔１８ａ内にパチンコ球αが入球することを許容する。
【００１３】
庇部１７内には始動口センサ２２（図５参照）が配設されており、電動チューリップ式始動口１８内にパチンコ球αが入球すると、始動口センサ２２から入球信号が出力される。また、遊技盤２の前面には、図１に示すように、普通始動口２３が装着されている。この普通始動口２３は始動孔（図示せず）を有する受皿状をなすものであり、電動チューリップ式始動口１８の真上に配置されている。
【００１４】
普通始動口２３内には始動口センサ２４（図５参照）が配設されている。この始動口センサ２４は、普通始動口２３内にパチンコ球αが入球したことを検出して入球信号を出力するものであり、メイン制御装置１５は、始動口センサ２２からの入球信号あるいは始動口センサ２４からの入球信号を所定タイミングで検出すると、大当りと判定する。尚、上述の動作は、メイン制御装置１５がＲＯＭに記憶された制御プログラムに基づいて実行するものである。
【００１５】
大入賞口ベース１６には、図４に示すように、庇部１７の下方に位置して扉２５ａが軸２５ｂを中心に回動可能に装着されている。この扉２５ａは、ドアスプリング（図示せず）によって矢印Ａ方向へ付勢されたものであり、図１に示すように、庇部１７の左端部と扉２５ａの左端部との間，庇部１７の右端部と扉２５ａの右端部との間には幅寸法「Ｗｃ（＝Ｗｂ−Ｗａ／２）」の隙間が形成され、各隙間寸法「Ｗｃ」はパチンコ球αの直径寸法の１倍に設定されている。尚、Ｗｂは扉２５ａの水平方向の幅寸法を示している。
【００１６】
遊技盤２の後面には、図４に示すように、大入賞口ソレノイド２６が配設されており、大入賞口ソレノイド２６のプランジャ２６ａには合成樹脂製のレバー２７が固定されている。この大入賞口ソレノイド２６はソレノイドスプリング（図示せず）を内蔵するものであり、メイン制御装置１５は、大当りの非検出時には大入賞口ソレノイド２６を断電状態に保持している。この状態では、プランジャ２６ａがソレノイドスプリングのばね力で下方へ突出し、レバー２７が下降している。
【００１７】
扉２５ａには操作部２５ｃが一体形成されており、大入賞口ソレノイド２６の断電に伴いレバー２７が下降しているときには、操作部２５ｃがレバー２７により押圧され、扉２５ａがドアスプリングのばね力に抗して反矢印Ａ方向へ回動している。また、大入賞口ベース１６には大入賞孔（図示せず）が設けられている。この大入賞孔は前面視が扉２５ａと同一の長方形状をなすものであり、扉２５ａが反矢印Ａ方向へ回動した状態では、大入賞孔が扉２５ａにより閉塞されている。尚、図１の符号２５は、扉２５ａと大入賞孔とから構成された大入賞口を示している。
【００１８】
メイン制御装置１５は、大当りを検出すると、大入賞口ソレノイド２６に電源を与え、プランジャ２６ａをソレノイドスプリングのばね力に抗して上昇させる。すると、レバー２７が上昇し、レバー２７から扉２５ａの操作部２５ｃに作用していた押圧力がなくなるので、図４に示すように、扉２５ａがドアスプリングのばね力により矢印Ａ方向へ回動し、大入賞孔が開放される。
【００１９】
庇部１７の左右両端部には、図１に示すように、円弧面１７ａ，１７ａが形成されており、大入賞孔の開放時には、パチンコ球αが各円弧面１７ａに沿って転がり落ちた後、図４に示すように、扉２５ａにより捕捉され、大入賞孔内に入球する。また、大入賞孔内には大入賞口センサ２８（図５参照）が配設されている。この大入賞口センサ２８は大入賞孔内にパチンコ球αが入球したことを検出して入球信号を出力するものであり、メイン制御装置１５は、大入賞口センサ２８からの入球信号に基づいてパチンコ球αの入球個数Ｎを計測する。
【００２０】
大入賞孔内には特定領域センサ２９（図５参照）が配設されている。この特定領域センサ２９は、大入賞孔内の左側部の特定領域をパチンコ球αが通過したことを検出して通過信号を出力するものであり、メイン制御装置１５は、特定領域センサ２９からの通過信号を検出した場合に扉２５ａを再度開放する。尚、メイン制御装置１５は、扉２５ａの開放回数が最大開放回数に達したことを検出すると、大当りが終了したと判断し、特定領域センサ２９からの通過信号を検出しても扉２５ａの開放動作を再開しない。
【００２１】
機構盤の後面には、図３に示すように、合成樹脂製のメインセット３０が装着されており、メインセット３０の上端部には賞球タンク３１およびタンクレール３２が固定されている。このタンクレール３２の一端部は賞球タンク３１内に通じており、賞球タンク３１内およびタンクレール３２内にはパチンコ球αが充填されている。また、機構盤には賞球払出ケース３３が装着されており、賞球タンク３１内のパチンコ球αはタンクレール３２から賞球払出ケース３３内に転がり落ち、賞球払出ケース３３内に整列状態で充填されている。
【００２２】
賞球払出ケース３３内には賞球払出しソレノイド３４（図５参照）が配設されており、メイン制御装置１５は、入球個数の計測結果Ｎに基づいて賞球払出ソレノイド３４を駆動制御する。また、賞球払出ケース３３内にはスプロケット（図示せず）が回動可能に配設されている。このスプロケットは賞球払出ソレノイド３４のプランジャに連結されたものであり、賞球払出ソレノイド３４が入球個数の計測結果Ｎに基づいて駆動制御されると、スプロケットの回動動作が所定回数実行され、計測結果Ｎに応じた個数のパチンコ球αが賞球払出ケース３３を通して下方へ送り出される。
【００２３】
メインセット３０には、図３に示すように、球通路３５が設けられている。この球通路３５は賞球払出ケース３３と上皿７との間を繋ぐものであり、賞球払出ケース３３内から送り出されたパチンコ球αは球通路３５を通して上皿７内に供給される。また、メインセット３０には球通路３６が設けられている。この球通路３６は上皿７と下皿８との間を繋ぐものであり、上皿７内から溢れたパチンコ球αは球通路３６を通して下皿８内に供給される。
【００２４】
遊技盤２の前面には、図１に示すように、大入賞口２５の真上に位置して図柄表示装置３７が固定されている。この図柄表示装置３７は合成樹脂製の装飾枠３７ａと、装飾枠３７ａに装着された４インチの液晶画面３７ｂとを有するものであり、装飾枠３７ａの左右方向の幅寸法Ｗｄは大入賞口２５の幅寸法Ｗｂより小さく設定されている。尚、図柄表示装置３７は図柄表示手段に相当するものである。
【００２５】
メイン回路基板１４には、図５に示すように、マイクロコンピュータを主体とする表示制御装置３８が搭載されている。この表示制御装置３８は、図柄表示装置３７の左列，中列，右列に図柄を表示するものであり、表示制御装置３８には、メイン制御装置１５から大当りの判定結果（大当り信号，外れ信号）が与えられる。
【００２６】
表示制御装置３８は、メイン制御装置１５から大当り信号および外れ信号が与えられると、図柄表示装置３７の左列の図柄，中列の図柄，右列の図柄を変動させる。そして、大当り信号が与えられた場合には、左列，中列，右列を同一の図柄で停止させ、遊技者に大当りを報知する。また、外れ信号が与えられた場合には、左列，中列，右列のうち１列を異なる図柄で停止させたり、２列を異なる図柄で停止させ、遊技者に外れを報知する。
【００２７】
上記実施例によれば、大入賞口２５の幅寸法Ｗｂを図柄表示装置３７の幅寸法Ｗｄより大きくしたので、図柄表示装置３７の左右両側部を落下するパチンコ球αが大入賞口２５の扉２５ａによって捕捉され易くなる。このため、パチンコ球αが大入賞口２５の大入賞孔内に入球し易くなるので、障害釘３のレイアウトを大幅に変更して中央部にパチンコ球αを導かなくても零れ球の数が低減される。
【００２８】
また、大入賞口２５と図柄表示装置３７との間に庇部１７を設けた。このため、パチンコ球αが大入賞口２５内に中央部から入球することが防止され、左側部の特定領域を通過するようになるので、大入賞口２５の開放動作が最大回数に達する前に停止してしまうことが防止される。しかも、庇部１７の左右端部を大入賞口２５の左右端部から各々パチンコ球αの直径寸法分だけ中央部に偏らせた。このため、庇部１７の左右側部を落下するパチンコ球αが大入賞口２５内に入球し易くなるので、庇部１７の影響で零れ球の数が増えることが防止される。
【００２９】
尚、上記実施例においては、大入賞口２５の大入賞孔の水平方向の幅寸法を扉２５ａの水平方向の幅寸法と略同一に設定したが、これに限定されるものではなく、例えば大入賞孔の水平方向の幅寸法を扉２５ａの水平方向の幅寸法より小さく設定しても良い。この構成の場合でも、図柄表示装置３７の左右両側部を落下するパチンコ球が扉２５ａによって捕捉され、大入賞孔内に入球するので、零れ球の数が少なくなる。
【００３０】
また、上記実施例においては、大入賞口２５の水平方向の幅寸法Ｗｂを図柄表示装置３７の水平方向の幅寸法Ｗｄより大きく設定したが、これに限定されるものではなく、例えば、両者を同等に設定しても良い。
また、上記実施例においては、図柄表示手段として液晶表示装置３７を用いたが、これに限定されるものではなく、例えばブラウン管表示装置や７セグメント形のＬＥＤ表示装置等を用いても良い。
【００３１】
また、上記実施例においては、４インチの液晶画面３７ｂを有する図柄表示装置３７を用いたが、これに限定されるものではなく、例えば４インチを上回る６インチの液晶画面を有する図柄表示装置を用いたり、４インチを下回る液晶画面を有する図柄表示装置を用いても良い。特に６インチの液晶画面を有する図柄表示装置を用いる場合には、図柄表示装置の占有スペースが大きくなり、遊技盤２の左右両側部にパチンコ球αが極端に偏る事情があるので、大入賞口２５の左右方向の幅寸法を図柄表示装置の左右方向の幅寸法と同等、あるいは、大きく設定すれば、パチンコ球αを大入賞口によって効果的に拾うことができる。
【００３２】
また、上記実施例においては、庇部１７の左端部および右端部を大入賞口２５の左端部および右端部から各々パチンコ球αの直径寸法分だけ中央部に偏らせたが、これに限定されるものではなく、例えばパチンコ球αの直径寸法を上回る量だけ中央部に偏らせても良い。
また、上記実施例においては、庇部１７の左端部と大入賞口２５の左端部との差寸法Ｗｃ，庇部１７の右端部と大入賞口２５の右端部との間の差寸法Ｗｃを同一に設定したが、これに限定されるものではなく、例えば両者を相違させても良い。
【００３３】
【発明の効果】
以上の説明から明らかなように、本発明のパチンコ機は次の効果を奏する。
請求項１記載の手段によれば、大入賞口の水平方向の幅寸法を図柄表示装置と同等あるいは図柄表示装置より大きくしたので、障害釘のレイアウトを大幅に変更しなくても零れ球の数が少なくなる。しかも、庇部の左右端部を大入賞口の左右端部から各々パチンコ球の直径寸法の１倍程度中央部に偏らせた。このため、庇部の左右側部を落下するパチンコ球が大入賞口内に入球し易くなるので、庇部の影響で零れ球の数が増えることが防止される。
【図面の簡単な説明】
【図１】本発明の一実施例を示す図（遊技盤の前面を拡大して示す図）
【図２】全体構成を示す前面図
【図３】全体構成を示す後面図
【図４】大入賞口の装着状態を示す断面図
【図５】電気的構成の概略を示すブロック図
【符号の説明】
２は遊技盤、１７は庇部、２５は大入賞口、３７は図柄表示装置（図柄表示手段）を示す。
【図１】
0004010427.tif 000002
【図２】
0004010427.tif 000003
【図３】
0004010427.tif 000004
【図４】
0004010427.tif 000005
【図５】
0004010427.tif 000006